(57)【要約】    【課題】  本発明の目的は、包装袋の外面に貼着された粘着シートを剥離することにより、包装袋を構成する積層体を切目線に沿って切り取り、内容物を取り出すための開口を簡単に形成することができるインスタントコーヒーやレギュラーコーヒー等の包装に適したガスバリヤー性の優れた易開封性包装袋を提供することである。    【解決手段】  基材層とアルミニウム箔層と熱接着性樹脂層を有する積層体からなり両側端にガセット折込部を有し両端縁に端縁熱接着部が形成されたガセットタイプの包装袋であって、一方の端縁熱接着部の左右方向の中央部近傍の包装袋を構成する積層体の基材層を貫通する環状又は端縁に湾曲部を備えた略Ｕ字状の切目線が形成され、切目線の全体を覆って包装袋の外面に摘み部を有する粘着シートが貼着された構成の易開封性包装袋である。【選択図】        図１
2007008515.tif 000002
【特許請求の範囲】
【請求項１】
基材層とアルミニウム箔層と熱接着性樹脂層を有する積層体からなり両側端にガセット折込部を有し両端縁に端縁熱接着部が形成されたガセットタイプの包装袋において、一方の端縁熱接着部の左右方向の中央部近傍の包装袋を構成する積層体に積層体の基材層を貫通する環状又は端縁に湾曲部を備えた略Ｕ字状の切目線が形成され、前記切目線の全体を覆って包装袋の外面に摘み部を有する粘着シートが貼着された構成からなることを特徴とする易開封性包装袋。
【請求項２】
前記粘着シートが、粘着シートの摘み部と対向する端縁部が一方の端縁熱接着部上に位置するように貼着されていることを特徴とする請求項１記載の易開封性包装袋。
【請求項３】
前記粘着シートが、粘着シートの摘み部と対向する端縁部が包装袋の外面に熱接着されていることを特徴とする請求項１または２記載の易開封性包装袋。
【請求項４】
前記粘着シートは、包装袋の外面への接着強度が１００ｇ／２０ｍｍ（ＪＩＳ  Ｚ−０２１７  １８０℃剥離）以上であり、前記熱接着性樹脂層の引張強度が３０ＭＰａ（ＪＩＳ  Ｋ−７１２７）以下であることを特徴とする請求項１〜３のいずれかに記載の易開封性包装袋。
【発明の詳細な説明】
【技術分野】
【０００１】
本発明は、切目線の全体を覆って貼着されている粘着シートを袋の外面から剥離させることにより、包装袋を構成する積層体を切目線に沿って切り取って、内容物を取り出すための開口を簡単に形成することができるガスバリヤー性の優れたガセット折込部を有する易開封性包装袋に関する。
【背景技術】
【０００２】
従来、袋の壁部を所定の形状に切り取って開口を形成することのできる包装袋としては、熱溶着によって封止された一方の封止端部を有し実質的に袋体である可撓性容器の一方の壁部に、封止端部に近接しかつ平行に延びる、互いに間隔をおいて離されて横長の矩形の境界を定める一連のミシン目線により形成された型切欠部領域、即ちダイカット領域が設けられ、ダイカット領域を覆って取っ手としての機能を果たす非粘着性の端部を備えたラベルが貼着された構成の再封可能なカバーを有する容器（例えば、特許文献１参照）、袋の胴部に形成された切込部を覆うように再封ラベルが貼着され、再封ラベルの剥離時に切込部の内部領域が袋の胴部から引き剥がされて物品の取り出し口が設けられる再封性包装袋であって、袋のシール部に切込部の端部が交差または近接しており、再封ラベルは少なくとも切込部の各端部を覆う部位がシール部に介在するように貼着されている再封性包装袋（例えば、特許文献２参照）等が知られている。
【特許文献１】特許第３４００４５６号
【特許文献２】特開平２００４−２６１８９号
【０００３】
しかしながら、上記の再封可能なカバーを有する容器のミシン目線（ダイカット領域）は容器の壁部を貫通するように形成されているものであり、また上記の再封性包装袋における切込部は袋の胴部を貫通するように形成されているものであるため、ミシン目線ないしは切込部を覆って粘着ラベルないしは再封ラベルが貼着されていても、容器の壁部ないしは胴部を貫通するように形成されたミシン目線ないしは切込部による包装袋のガスバリヤー性の低下は避けられずインスタントコーヒー、レギュラーコーヒー等の特にガスバリヤー性を必要とする内容物を包装する容器として使用できないという欠点がある。
【発明の開示】
【発明が解決しようとする課題】
【０００４】
本発明の目的は、包装袋の外面に貼着された粘着シートの摘み部を掴んで包装袋から剥離することにより、切目線に沿って包装袋を構成する積層体を切り取り簡単に開口を形成することができるとともに、切目線の形成によるガスバリヤー性の低下がない、インスタントコーヒーやレギュラーコーヒー等の特にガスバリヤー性を必要とする内容物を包装するのに適したガスバリヤー性の優れた易開封性包装袋を提供することである。
【課題を解決するための手段】
【０００５】
基材層とアルミニウム箔層と熱接着性樹脂層を有する積層体からなり両側端にガセット折込部を有し両端縁に端縁熱接着部が形成されたガセットタイプの包装袋において、一方の端縁熱接着部の左右方向の中央部近傍の包装袋を構成する積層体に積層体の基材層を貫通する環状又は端縁に湾曲部を備えた略Ｕ字状の切目線が形成され、前記切目線の全体を覆って包装袋の外面に摘み部を有する粘着シートが貼着された構成からなる易開封性包装袋である。
【０００６】
上記の易開封性包装袋において、前記粘着シートが、粘着シートの摘み部と対向する端縁部が一方の端縁熱接着部上に位置するように貼着されている構成である。
【０００７】
上記の易開封性包装袋において、前記粘着シートが、粘着シートの摘み部と対向する端縁部が包装袋の外面に熱接着されている構成である。
【０００８】
上記の易開封性包装袋において、前記粘着シートは、包装袋の外面への接着強度が１００ｇ／２０ｍｍ（ＪＩＳ  Ｚ−０２３７  １８０℃剥離）以上であり、前記熱接着性樹脂層の引張強度が３０ＭＰａ（ＪＩＳ  Ｋ−７１２７）以下とされた構成である。
【発明の効果】
【０００９】
本発明の構成とすることにより、切目線は強度の大きい積層体の基材層を貫通するように形成され、切目線が形成されないアルミニウム箔層と熱接着性樹脂層は破断強度が小さいので、包装袋の外面に貼着されている粘着シートを摘み部を掴んで剥離させると、包装袋を構成する積層体の切目線に囲まれた部分を粘着シートに接着した状態で切り取ることができるので、包装袋に内容物を取り出すための開口を簡単に形成することができ、剥離した粘着シートを再度包装袋の外面に押し付けることにより開口を再封するのが可能となる。また、切目線は基材層とアルミニウム箔層と熱接着性樹脂層からなる積層体の基材層のみを貫通する状態で形成されており、基材層に形成された切目線の箇所がアルミニウム箔層と熱接着性樹脂層により被覆されているので、切目線を形成することによる包装袋のガスバリヤー性の低下を防止することができるので、ガスバリヤー性の優れた易開封性包装袋とすることができる。
【００１０】
請求項２に係る発明では、摘み部を掴んで粘着シートを下から上に剥離させることにより、上端縁熱接着部に隣接した位置に開口を形成することができるので粉粒体等を振り出して取り出すのが容易となる。
【００１１】
請求項３に係る発明では、摘み部を掴んで包装袋の外面から粘着シートを剥離させて開口を形成させた際に、粘着シートが包装袋の外面から分離してしまうことがない。
【００１２】
請求項４に係る発明では、積層体の強度の大きい基材層を貫通して形成された切目線を覆って積層されているアルミニウム箔層と熱接着性樹脂層は破断強度が小さく、且つ粘着シートの包装袋の外面への接着強度が大きいので、包装袋の外面に貼着された粘着シートを剥離させると、包装袋を構成する積層体の切目線に囲まれた部分が粘着シートと強く接着しているため切目線に沿って積層体を切り取ることができるので切目線と同じ形状の開口を形成することができる。
【発明を実施するための最良の形態】
【００１３】
以下、図面を引用して本発明の実施の形態を説明する。
図１は本発明の易開封性包装袋の第１実施形態を示す平面図、図２は図１のＩ−Ｉ線拡大断面図、図３は開封した状態の図２に対応する拡大断面図、図４は第１実施形態の開封した状態を示す上半部の平面図、図５は本発明の易開封性包装袋の第２実施形態を示す上半部の平面図、図６は第２実施形態の開封した状態を示す上半部の平面図、図７は本発明の易開封性包装袋の第３実施形態を示す上半部の平面図、図８は本発明の易開封性包装袋の第４実施形態を示す上半部の平面図であり、２は合掌熱接着部、３は端縁熱接着部、４はガセット折込部、５は側端熱接着部、６，6'は切目線、７，7'は粘着シート、7aは摘み部、7bは熱接着部、８，8'は開口、10は積層体、11は基材層、12はアルミニウム箔層、13は熱接着性樹脂層、71は粘着シート基材層、72は粘着剤層、73は熱接着層を表す。
【００１４】
本発明の易開封性包装袋の第１実施形態は図１、図２に示すとおりである。平面形状は図１に示すように、基材層11とアルミニウム箔層12と熱接着性樹脂層13を備えた積層体10からなり、両側端にガセット折込部４を有しガセット折込部４の４箇所の側端に側端熱接着部５が形成され上下の端縁に端縁熱接着部３が形成されたガセットタイプの包装袋であって、上端の端縁熱接着部３の左右方向中央部近傍の包装袋を構成する積層体に基材層11を貫通する円形状の切目線６が形成され、切目線６の全体を覆って包装袋の外面に、一方の端縁に摘み部7aを有し対向する他方の端縁に熱接着部7bを備えた粘着シート７が摘み部7aを下にして摘み部7aと対向する端縁を上端の端縁熱接着部３の端縁と揃えて熱接着部7bにて上端の端縁熱接着部３に熱接着された状態で貼着されている構成である。
【００１５】
切目線６の全体を覆って包装袋の外面に粘着シート７が貼着された箇所の断面構成は図２に示すとおりである。粘着シート７は粘着シート基材層71と粘着剤層72と熱接着層73からなり、切目線６は基材層11とアルミニウム箔層12と熱接着性樹脂層13からなる積層体10の基材層11を貫通するように形成されており、基材層11に形成された切目線６はアルミニウム箔層12と熱接着性樹脂層13により被覆されている構成である。粘着シート７の摘み部7aは粘着剤層72を形成せずに粘着シート基材層72のみとされており、粘着シート７の熱接着部7bは粘着シート基材層72に熱接着層が形成されているものである。積層体10の基材層11を貫通するように形成された切目線６はアルミニウム箔層12と熱接着性樹脂層13により被覆されているので、切目線６の形成によりガスバリヤー性が低下することがなく、ガスバリヤー性のきわめて優れた包装袋とすることができる。
【００１６】
第１実施形態の易開封性包装袋を、摘み部7aを掴んで粘着シート７を上方向に引き剥がして開封した状態は、断面形状が図３に平面形状が図４にそれぞれ示されているとおりである。摘み部7aを掴んで粘着シート７を上方に引き剥がすと、切目線６に囲まれた領域の包装袋を構成する積層体が粘着シート７に接着した状態で引っ張られ、貫通する切目線６が形成された基材層11が破断するとともに、基材層11に積層されている破断し易いアルミニウム箔層12と引張強度が３０ＭＰａ（ＪＩＳ  Ｋ−７１２７）以下である熱接着性樹脂層13が破断して、切目線６に囲まれた領域の包装袋を構成する積層体が切り取られ、内容物を取り出すための開口８が形成される。粘着シート７の摘み部7aと対向する端縁の熱接着部7bが上端の端縁熱接着部３に熱接着されているので、粘着シート７を包装袋の外面から剥離させる際に包装袋から分離してしまうことがない。形成された開口８から内容物を取り出した後に、粘着シート７を包装袋の外面に押しつけることにより粘着シート７が接着して開口８を再封することができる。
【００１７】
本発明の第２実施形態の平面形状は、図５に示すとおりであって、基材層11とアルミニウム箔層12と熱接着性樹脂層13を備えた積層体10からなる第１実施形態と同じガセットタイプの包装袋であり、上端の端縁熱接着部３の左右方向の中央部近傍の包装袋を構成する積層体に基材層11を貫通する端縁に湾曲部を備えた略Ｕ字状の切目線6'が形成され、切目線6'の全体を覆って包装袋の外面に一方の端縁に摘み部7aを有する粘着シート7'が摘み部7aを下にして摘み部7aと対向する端縁が上端の端縁熱接着部３上に位置するように貼着されている構成である。第２実施形態の切目線6'の形状は端縁に内側への湾曲部を備えた略Ｕ字状とされているが、端縁に形成される湾曲部は外側への湾曲部としてもよいし、また内側への湾曲部と外側への湾曲部を備えた形状としてもよい。
【００１８】
第２実施形態の易開封性包装袋を、粘着シート7'の摘み部7aを掴んで粘着シート7'を上方向に引き剥がして開封した状態の平面図は、図６に示すとおりであり、摘み部7aを掴んで粘着シート7'を上方に引き剥がすと、端縁に湾曲部を備えた略Ｕ字状の切目線6'の下端部から壁面を構成する積層体が切目線6'に沿って破断してゆき端縁に湾曲部を備えた略Ｕ字状の切目線6'の上端の湾曲部に達すると切目線6'に沿った破断が止まり略Ｕ字状の開口8'が形成される。第２実施形態の場合は、粘着シート7'を上方に引き剥がしてゆき切目線6'に沿った破断が端縁に湾曲部を備えた略Ｕ字状の切目線6'の上端の湾曲部に達すると破断が止まるので、粘着シート7'の摘み部7aと対向する端縁に熱接着部が設けられていなくとも、粘着シート7'が包装袋から分離してしまうことがない。
【００１９】
本発明の第３実施形態の平面形状は、図７に示すとおりであり、基材層とアルミニウム箔層と熱接着性樹脂層を備えた積層体からなり、両側端にガセット折込部４を設けて合掌熱接着部２と上下の端縁熱接着部３により形成されたガセットピロータイプの包装袋であって、合掌熱接着部２が形成されていない包装袋の壁面を構成する積層体の上端の端縁熱接着部３の左右方向中央部の近傍に円形状の切目線６が形成され、切目線６の全体を覆って包装袋の外面に一方の端縁に摘み部7aを有し対向する他方の端縁に熱接着部7bを備えた粘着シート７が摘み部7aを下にして摘み部7aと対向する端縁を上端の端縁熱接着部３の近傍に熱接着部7bにて熱接着された状態で貼着されている構成である。
【００２０】
本発明の第４実施形態の平面形状は、図８に示すとおりであり、基材層とアルミニウム箔層と熱接着性樹脂層を備えた積層体からなる第３実施形態と同じガセットピロータイプの包装袋であって、合掌熱接着部２が形成されていない包装袋の上端の端縁熱接着部３の左右方向中央部の近傍に端縁に湾曲部を備えた略Ｕ字状の切目線6'が形成され、切目線6'の全体を覆って包装袋の外面に一方の端縁に摘み部7aを有する粘着シート7'が摘み部7aを下にして貼着されている構成である。
【００２１】
粘着シート7, 7' は、強度の大きい２軸延伸ポリエチレンテレフタレートフィルム等からなる粘着シート基材層の所定領域に粘着剤層が形成された構成である。粘着シートの摘み部7aは、実施形態で示したように、粘着シート基材層に粘着剤を塗布せずに粘着シート基材のみの状態としてもよいし、粘着シートの端縁を粘着剤層を内側にして所定寸法だけ折り曲げて接着して摘み部を形成してもよい。粘着シートに形成する粘着剤層の包装袋の壁面への接着強度は１００ｇ／２０ｍｍ（ＪＩＳ  Ｚ−０２１７  １８０℃剥離）以上とされ、熱接着性樹脂層の引張強度が３０ＭＰａ（ＪＩＳ  Ｋ−７１２７）以下とされており、またアルミニウム箔層12は強度が小さいため、切目線を覆って貼着された粘着シート基材を包装袋の壁面から剥離することにより切目線に沿って積層体が破断して包装袋に開口を形成することができるものである。
【００２２】
包装袋に開口を形成するための切目線の大きさ及び形状は、内容物を取り出すことができれば特に限定されるものではないが、円形状、楕円形状、角丸四角形状等の環状又は端縁に湾曲部を備えた略Ｕ字状とするのが好ましく、内容物を取り出すのに適した大きさとすればよい。また、切目線は破線とするのが好ましく、切目線の直線部は破線の切目の長さを比較的短くし、粘着シートの剥離により破断が開始する切目線の端縁部は破線の切目の長さを長くして積層体が破断し易くすることが好ましい。そうすることにより、粘着シートを剥離した際の切目線に沿った積層体の破断が容易となるので簡単に開封できるようになる。
【００２３】
積層体10の基材層11としては、２軸延伸ポリエチレンテレフタレート（ＰＥＴ）、２軸延伸ナイロン（ＯＮ）、２軸延伸ポリプロピレン（ＯＰＰ）等のプラスチックフィルムの単体ないしは積層体、及びそれらのフィルムと紙の積層体が使用できる。熱接着性樹脂層13としては、比較的引張強度の小さい低密度ポリエチレン、線状低密度ポリエチレン、メタロセン触媒を使用して重合したエチレン−αオレフィン共重合体等が好適に使用することができる。粘着シートにより切目線に沿って引き裂くためには熱接着性樹脂層は引張強度が３０ＭＰａ（ＪＩＳ  Ｋ−７１２７）以下とすることが必要であるので、熱接着性樹脂層の厚さとしては１５〜４０μｍ程度となる。また、アルミニウム箔層の厚さとしては７〜９μｍ程度であり、７μｍより薄いとピンホールが発生しやすく、９μｍを越えると破断しにくくなり、開口部を形成しずらくなる。
【００２４】
積層体の基材層とアルミニウム箔と熱接着性樹脂層の積層は、ウレタン系接着剤を使用したドライラミネーシヨン（ＤＬ）又はポリエチレンの押出ラミネーシヨン（ＥＣ）により行うことができるが、積層体の切目線に沿った引裂性を考慮するとＤＬにより積層するのが好ましい。積層体の構成としては、例えば、ＰＥＴ／アルミニウム箔（ＡＬ）／ＬＤＰＥ、ＯＮ／ＡＬ／ＬＤＰＥ、ＯＰＰ／ＡＬ／ＬＤＰＥ、ＰＥＴ／ＯＮ／ＡＬ／ＬＤＰＥ、ＰＥＴ／ＯＰＰ／ＡＬ／ＬＤＰＥ、紙／ＰＥＴ／ＡＬ／ＬＤＰＥ、ＰＥＴ／紙／ＡＬ／ＬＤＰＥ等である。基材層となる下線を付した層に切目線が形成される。
【００２５】
切目線を形成した積層体を作製する方法としては、絵柄を印刷したプラスチックフィルムからなる基材層、ないしは、絵柄を印刷したプラスチックフィルムの印刷面に他のプラスチックフィルム又は紙を積層した基材層を作製した後に、基材層に印刷された絵柄に見当を合わせて所定位置に所定形状の環状又はＵ字形状の切目線を切刃により形成し、切目線を形成した基材層にアルミニウム箔と熱接着性樹脂層を積層することにより作製することができる。なお、基材層がプラスチックフィルム単体からなる場合は、プラスチックフィルムをグラビア輪転印刷機等を使用して印刷する際に、印刷機の１つのユニットを使用して版胴の表面に切目線形成用の切刃を取り付けることにより、印刷とインラインで切目線を形成することもできる。
【図面の簡単な説明】
【００２６】
【図１】本発明の易開封性包装袋の第１実施形態を示す平面図。
【図２】図１のＩ−Ｉ線拡大断面図。
【図３】開封した状態を示す図２に対応する拡大断面図。
【図４】第１実施形態の開封した状態を示す上半部の平面図。
【図５】本発明の易開封性包装袋の第２実施形態を示す上半部の平面図。
【図６】第２実施形態の開封した状態を示す上半部の平面図。
【図７】本発明の易開封性包装袋の第３実施形態を示す上半部の平面図。
【図８】本発明の易開封性包装袋の第４実施形態を示す上半部の平面図。
【符号の説明】
【００２７】
２  合掌熱接着部                    10  積層体
３  端縁熱接着部                    11  基材層
４  ガセット折込部                  12  アルミニウム箔層
５  側端熱接着部                    13  熱接着性樹脂層
６，6'  切目線                      71  粘着シート基材層
７，7'  粘着シート                  72  粘着剤層
7a  摘み部                          73  熱接着層
7b  熱接着部
８，8'  開口
【図１】
2007008515.tif 000003
【図２】
2007008515.tif 000004
【図３】
2007008515.tif 000005
【図４】
2007008515.tif 000006
【図５】
2007008515.tif 000007
【図６】
2007008515.tif 000008
【図７】
2007008515.tif 000009
【図８】
2007008515.tif 000010